(57)【要約】【課題】  表示装置の基板を小さくし、狭額縁化を実現する。【解決手段】  入力側電極と出力側電極を隣接して並べ、且つ、入力側電極に出力側電極を寄せた構成の表示素子を用いた。駆動ＩＣの駆動回路部は表示素子の各電極に対応するパッドが配備していない領域に形成する。このような駆動ＩＣを表示素子にＣＯＧ実装することで表示装置の狭額縁化が実現できる。【選択図】  図１
2006235348.tif 000002
【特許請求の範囲】
【請求項１】
入力パッド、出力パッド、及び回路部を有し、前記入力パッドから入力された信号に基づいて前記回路部で作製した出力信号を前記出力パッドから出力する半導体素子と、
前記入力パッドに接続する入力側電極、前記出力パッドに接続される出力側電極、表示電極及び前記出力側電極と前記表示電極を接続する配線が形成された基板を有する表示素子を備える表示装置であって、
前記入力側電極と前記出力側電極が隣接して配置されたことを特徴とする表示装置。
【請求項２】
前記表示電極と前記出力側電極は異なるピッチで形成されるとともに、前記配線によりピッチ差が吸収されて結ばれていることを特徴とする請求項１に記載の表示装置。
【請求項３】
前記出力側電極は前記表示電極と前記入力側電極の間に位置することを特徴とする請求項１または２に記載の表示装置。
【請求項４】
前記回路部が前記配線に対向するように、前記半導体素子が前記基板上に実装されたことを特徴とする請求項１〜３のいずれか一項に記載の表示装置。
【請求項５】
前記入力パッドと前記出力パッドにはバンプが形成され、異方性導電膜により前記半導体素子が前記基板上に実装されたことを特徴とする請求項１〜４のいずれか一項に記載の表示装置。
【発明の詳細な説明】
【技術分野】
【０００１】
本発明は、例えば携帯電話等に用いられる液晶表示装置等の表示機器に関する。
【背景技術】
【０００２】
従来から、液晶表示装置を駆動するＩＣを液晶パネルのガラス端子上に実装する、チップ・オン・グラス（ＣＯＧ）構造の液晶表示装置が知られている（例えば、特許文献１参照）。図３に従来の構造の液晶表示装置を示す。液晶パネル１を構成する基板１１上には画素を構成する画素電極、駆動ＩＣ２と電気的に接続する入力側電極７と出力側電極８、画素電極と出力側電極を結ぶ配線が形成されている。駆動ＩＣは外周の辺に沿って入力パッドと出力パッドが形成され、入力パッドと入力側端子、出力パッドと出力側端子がバンプ等によって電気的に接続されている。このような構成により、外部信号が基板上の入力側端子から入力パッドを経由して駆動ＩＣに入力され、駆動回路部９で作製された出力信号が出力パッド、出力側端子、配線を経由して画素電極に供給される。
【特許文献１】特開平１１−３６８７８号公報（第５頁、第４図）
【発明の開示】
【発明が解決しようとする課題】
【０００３】
図３に示す従来のＣＯＧ構造の液晶表示装置では、画素電極と出力側電極のピッチが異なるため、配線によってこのピッチの違いを変換する必要がある。そのため、画素電極と出力側電極の間隔を一定以上に離す必要があった。すなわち、ガラス端子の面積を小さくすることに配線上の限界があり、狭額縁にできなかった。
【課題を解決するための手段】
【０００４】
本発明は、駆動ＩＣを、入力パッドと出力パッドが隣接して並んだ構成とし、且つ、入力側電極に出力側電極を寄せた構成の表示素子を用いた。駆動ＩＣの駆動回路部はバンプを配備していない領域で形成する。表示素子の基板には電極が駆動ＩＣのパッド配列に合わせて形成され、表示電極と出力側電極を結ぶ配線も形成される。このような駆動ＩＣとパネルをＣＯＧ実装することで表示装置の狭額縁化をより一層効果的に達成することができる。液晶表示装置により、ＣＯＧ構造のガラス端子の面積が縮小し、液晶表示装置の更なる狭額縁化を実現させる。
【発明の効果】
【０００５】
本発明の表示装置によれば、入力側電極に出力側電極を寄せた構成の表示素子を用いているので、基板の端子面積を小さくすることが可能になり、その分狭額縁化が達成でき、大板の取り個数が増量し、低コスト化の効果も得られる。
【発明を実施するための最良の形態】
【０００６】
本発明の表示装置は、入力パッドから入力された信号に基づいて回路部で作製した出力信号を出力パッドから出力する半導体素子と、入力パッドに接続する入力側電極、出力パッドに接続される出力側電極、表示電極及び出力側電極と表示電極を接続する配線が形成された基板を有する表示素子を備えており、入力側電極と出力側電極が隣接して配置されている。また、表示電極と出力側電極は異なるピッチで形成されるとともに、配線によりピッチ差が吸収されて結ばれている。ここで、出力側電極は表示電極と入力側電極の間に位置している。さらに、半導体素子の回路部が表示素子の基板に形成された配線と対向するように、半導体素子が基板上に実装されている。このような構成によれば、ピッチの異なる表示画素と出力側電極を結ぶ配線の領域を変えずに基板の大きさを小さくすることが可能になる。
【０００７】
上述した駆動ＩＣとパネルをＣＯＧ実装することで液晶表示装置の狭額縁化をより一層効果的に達成することができる。以下、表示素子に液晶パネルを用いた実施例を図面に基づいて詳細に説明する。
【実施例１】
【０００８】
本実施例の駆動ＩＣと液晶パネルの構成を図１〜３に模式的に示す。図１は液晶表示装置を模式的に示す断面図である。図２は駆動ＩＣを示す平面図、図３は液晶パネルの平面図である。図１に示すように、液晶パネル１を構成するガラス基板１１と対向基板１２の段差部（ガラス端子６）に異方性導電膜３により駆動ＩＣ２が実装される。これにより、ガラス基板１１上の入力側電極と出力側電極が、駆動ＩＣの入力パッドと出力パッドにそれぞれ接続されることになる。ここで、駆動ＩＣの各パッドにはバンプ（突起状電極）が設けられている。図２に示すように、駆動ＩＣは、入力パッド７と出力パッド８をそれぞれ１列に並べ、隣接して配置されている。つまり、入力パッド７を駆動ＩＣ２の外周部に設け、出力パッド８を入力パッドに寄せて配置しており、駆動回路部９はパッドが配列されてない領域に形成されている。すなわち、入力パッドと出力パッドの間には駆動回路部が存在していない。また、図３に示すように、ガラス基板１１のガラス端子６には、駆動ＩＣの入力パッド７と出力パッド８の配列に対応するように入力側電極４と出力側電極５が形成され、画素電極１３と出力側電極５を接続する配線１４が形成される。このような構成によれば、ガラス端子６の幅を駆動ＩＣの駆動回路部９の幅だけ縮小ことが可能になり、液晶表示装置の更なる狭額縁化を実現する。
【産業上の利用可能性】
【０００９】
本発明による駆動ＩＣと表示素子を用いた表示装置は、端子部の面積、すなわち、基板の面積を縮小化できるので、表示画面周囲の表示に寄与しないスペースを少なくしたい表示装置に適用できる。
【図面の簡単な説明】
【００１０】
【図１】液晶表示装置を模式的に示す断面図である。
【図２】駆動ＩＣの外観を示す平面図である。
【図３】ガラス基板の外観を模式的に示す平面図である。
【図４】従来の液晶表示装置を模式的に示す断面図である。
【図５】従来の駆動ＩＣの外観を示す平面図である。
【符号の説明】
【００１１】
１  液晶パネル
２  駆動ＩＣ
３  異方性導電膜
４  入力側電極
５  出力側電極
６  ガラス端子
７  入力パッド
８  出力パッド
９  駆動回路部
１１  ガラス基板
１２  対向基板
１３  画素電極
１４  配線
【図１】
2006235348.tif 000003
【図２】
2006235348.tif 000004
【図３】
2006235348.tif 000005
【図４】
2006235348.tif 000006
【図５】
2006235348.tif 000007